(57)【要約】【課題】表面が硬貨にて擦られる前における画像の隠匿性に優れると共に、表面が硬貨にて擦られた後には画像が鮮明に現出せしめられ得る印刷物を提供すること。【解決手段】被印刷基材１０として、非塗工紙を用いると共に、かかる非塗工紙の被印刷面１６における所定の領域の全面に、酸化チタンと硫酸バリウムと炭酸カルシウムからなる群より選ばれた少なくとも一種の白色顔料２０を含むインキを用いてベースインキ層１２を印刷形成すると共に、該ベースインキ層１２の上に、無色インキを用いて、オーバーコートインキ層１４を部分的に印刷形成して、該ベースインキ層１２上におけるオーバーコートインキ層１４の形成部分又は非形成部分によって、所定の画像を構成するようにした。【選択図】  図３
2008142951.tif 000002
【特許請求の範囲】
【請求項１】
被印刷面が塗工されていない非塗工紙と、
該非塗工紙の前記被印刷面における所定の領域の全面に、酸化チタン、硫酸バリウム及び炭酸カルシウムからなる群より選ばれた少なくとも一種の白色顔料を含むインキを用いて印刷形成された、ベースインキ層と、
前記ベースインキ層の上に、無色インキを用いて部分的に印刷形成されたインキ層からなり、且つ該ベースインキ層上における形成部分又は非形成部分によって、所定の画像を構成する、オーバーコートインキ層と、
を備えていることを特徴とする印刷物。
【請求項２】
前記非塗工紙が、上質紙又はケント紙である請求項１記載の印刷物。
【請求項３】
前記ベースインキ層が、前記白色顔料を５重量％以上の割合となる量において含んでいる請求項１又は請求項２に記載の印刷物。
【請求項４】
前記ベースインキ層の印刷形成に用いられる前記インキが、前記非塗工紙の被印刷面上で固化せしめられることにより前記白色顔料を該被印刷面に固着せしめて該ベースインキ層を該被印刷面上に形成するベースインキ層形成主要素と、該ベースインキ層形成主要素を溶解する溶剤とを含み、且つ該インキ中における該ベースインキ層形成主要素と該溶剤のそれぞれの含有量の割合が、該ベースインキ層形成主要素の１００重量部に対して、該溶剤が１０〜３５０重量部の範囲内の値とされている請求項１乃至請求項３の何れか１項に記載の印刷物。
【請求項５】
前記オーバーコートインキ層の印刷形成に用いられる前記無色インキが、前記ベースインキ層上で固化せしめられることにより、該オーバーコートインキ層を該ベースインキ層上に形成するオーバーコートインキ層形成主要素と、該オーバーコートインキ層形成主要素を溶解する溶剤とを含み、且つ該無色インキ中における該オーバーコートインキ層形成主要素と該溶剤のそれぞれの含有量の割合が、該オーバーコートインキ層形成主要素の１００重量部に対して、該溶剤が１０〜３５０重量部の範囲内の値とされている請求項１乃至請求項４の何れか１項に記載の印刷物。
【請求項６】
前記オーバーコートインキ層の印刷形成に用いられる前記無色インキが、該オーバーコートインキ層の光沢を調整する光沢調整材を含み、該オーバーコートインキ層の光沢が、前記ベースインキ層と同様な光沢となるように調整されている請求項１乃至請求項５の何れか１項に記載の印刷物。
【発明の詳細な説明】
【技術分野】
【０００１】
本発明は、印刷物に係り、特に、紙の表面に、所定の画像を構成するインキ層が印刷形成され、その表面が硬貨にて擦られることにより、インキ層にて構成された画像が現れるようにした印刷物の改良に関するものである。
【背景技術】
【０００２】
従来から、紙や合成樹脂等の基材表面に、文字や数字、模様、絵柄等の様々な画像を構成する下側インキ層が印刷形成されると共に、かかる下側インキ層の上に、それを隠蔽可能な有色の上側インキ層が積層されるように印刷形成されて、上側インキ層が硬貨や爪等によって擦り取られることにより、下側インキ層にて構成された画像が現れるようにした、所謂スクラッチ式の印刷物が、各種のくじやゲームカード等に好適に使用されている。
【０００３】
また、そのようなスクラッチ式の印刷物の一種として、基材の表面に、例えば酸化チタン等、硬貨を構成する金属よりも硬度の大きい硬質材料を含む、基材表面と同色のインキを用いて、所定の画像を構成するインキ層が印刷形成されてなるものが、知られている（例えば、下記特許文献１参照）。この印刷物においては、印刷面が硬貨にて擦られると、硬貨の金属が、基材表面上に形成されたインキ層中の硬質材料にて削り取られて、この削り取られた金属によりインキ層が着色乃至は変色せしめられ、以て、かかるインキ層にて構成された画像が現出せしめられるようになっている。
【０００４】
かくの如き印刷物にあっては、所定の画像を構成する下側インキ層の上に積層するように印刷形成された上側インキ層を擦り取って所定の画像を現出せしめる印刷物とは異なって、擦り取られたインキ層部分によってゴミ屑が生ずるようなことが有利に回避され得るといった利点があるものの、基材表面を硬貨で擦らなくとも、基材表面を様々な角度で見ると、基材表面とインキ層との光沢の差異等によって、インキ層にて構成される画像が視認されてしまうといった欠点が、存していた。
【０００５】
そのため、基材の表面上に、酸化チタン等からなる白色顔料を含む白色印刷インキによる白色ベタ印刷層が印刷形成されると共に、この白色ベタ印刷層の上に、酸化チタン等からなる白色顔料を、白色印刷インキ中の含有量よりも少ない量で含む白色オーバープリントニスによるオーバープリント層が、所定の画像（機密情報データ）を抜きパターン若しくはパターンにて構成するように印刷形成され、印刷面が硬貨にて擦られることにより、オーバープリント層の抜きパターンと対応する白色ベタ印刷層部分、若しくはオーバープリント層のパターン部以外の部分と対応する白色ベタ印刷層部分のみが着色されて、それら抜きパターン若しくはパターンにて構成される画像が現れるようにされた印刷物が、近年、提案されている（例えば、下記特許文献２参照）。
【０００６】
このような印刷物においては、白色ベタ印刷層の上に、それと同色の白色のオーバープリントニスによるオーバープリント層が、所定の抜きパターン若しくはパターンをもって積層形成されていることにより、かかるオーバープリント層の抜きパターン若しくはパターンにて構成される画像と白色ベタ印刷層との判別が困難とされて、画像の隠匿性の向上が図られているのである。
【０００７】
ところが、本発明者が、この白色ベタ印刷層と白色のオーバープリント層の二層のインキ層を有する従来の印刷物における画像隠匿性について検討を加えたところ、白色ベタ印刷層における白色顔料の含有量と白色のオーバープリント層における白色顔料の含有量との差異に基づいて、それら白色ベタ印刷層と白色のオーバープリント層との間に、色合いと光の反射率とにおいて微妙な違いが生じており、そのため、オーバープリント層の抜きパターン若しくはパターンにて構成される画像と白色ベタ印刷層とが、光の反射等によって区別され得ることが、認められた。これによって、かかる従来の印刷物が、オーバープリント層の抜きパターン若しくはパターンにて構成される画像と白色ベタ印刷層との判別において困難なものであるとは言い難く、従って、画像の隠匿性において未だ改良の余地を有しているものであることが、判明したのである。
【０００８】
このため、本発明者は、画像の隠匿性について改良を図るべく、種々検討した結果、所定の画像を、白色顔料を含むベースインキ層上に部分的に形成された無色のオーバーコートインキ層にて構成すると共に、かかるベースインキ層を、網点印刷により印刷形成することによって、ベースインキ層の表面が凹凸形状とされ、これにより、照射された光が乱反射せしめられ、以て、オーバーコートインキ層にて構成された画像とベースインキ層との判別が容易に行われるようなことが、有利に解消され得ることを見出し、そのような印刷物について、先に、出願を行なったのである（特願２００５−１８２６６９号）。
【０００９】
しかしながら、網点印刷によりベースインキ層を形成する場合には、網点印刷に起因する問題、即ち、網点のスクリーン線数や面積率を設定したり、製版時や印刷時に刷版の壊れを確認する等の管理が必要となり、ベタ印刷よりも手間やコストがかかるといった問題がある。
【００１０】
【特許文献１】特公平６−７８０３９号公報
【特許文献２】特開２００４−３４３８４号公報
【発明の開示】
【発明が解決しようとする課題】
【００１１】
ここにおいて、本発明は、上述せる如き事情を背景にして為されたものであって、その解決課題とするところは、印刷面が硬貨にて擦られることにより、そこに印刷形成されたインキ層にて構成される画像が確実に現出せしめられて、鮮明に視認される一方、印刷面が硬貨にて擦られる前においては、かかる画像の視認が更に困難と為され得るように改良された印刷物を提供することにある。
【課題を解決するための手段】
【００１２】
そして、本発明にあっては、かかる課題の解決のために、その要旨とするところは、（ａ）被印刷面が塗工されていない非塗工紙と、（ｂ）該非塗工紙の前記被印刷面における所定の領域の全面に、酸化チタン、硫酸バリウム及び炭酸カルシウムからなる群より選ばれた少なくとも一種の白色顔料を含むインキを用いて印刷形成された、ベースインキ層と、（ｃ）前記ベースインキ層の上に、無色インキを用いて部分的に印刷形成されたインキ層からなり、且つ該ベースインキ層上における形成部分又は非形成部分によって、所定の画像を構成する、オーバーコートインキ層と、を備えていることを特徴とする印刷物にある。
【００１３】
なお、かかる本発明に従う印刷物の好ましい態様の一つによれば、前記非塗工紙として、上質紙又はケント紙が用いられる。
【００１４】
また、本発明に従う印刷物における別の好ましい態様の一つによれば、前記ベースインキ層が、前記白色顔料を５重量％以上の割合となる量において含んでいる構成が、採用される。
【００１５】
さらに、本発明に従う印刷物における更に別の望ましい態様の一つによれば、前記ベースインキ層の印刷形成に用いられる前記インキが、前記非塗工紙の被印刷面上で固化せしめられることにより前記白色顔料を該被印刷面に固着せしめて該ベースインキ層を該被印刷面上に形成するベースインキ層形成主要素と、該ベースインキ層形成主要素を溶解する溶剤とを含み、且つ該インキ中における該ベースインキ層形成主要素と該溶剤のそれぞれの含有量の割合が、該ベースインキ層形成主要素の１００重量部に対して、該溶剤が１０〜３５０重量部の範囲内の値とされる。
【００１６】
加えて、かかる本発明に従う印刷物の他の好ましい態様の一つによれば、前記オーバーコートインキ層の印刷形成に用いられる前記無色インキが、前記ベースインキ層上で固化せしめられることにより、該オーバーコートインキ層を該ベースインキ層上に形成するオーバーコートインキ層形成主要素と、該オーバーコートインキ層形成主要素を溶解する溶剤とを含み、且つ該無色インキ中における該オーバーコートインキ層形成主要素と該溶剤のそれぞれの含有量の割合が、該オーバーコートインキ層形成主要素の１００重量部に対して、該溶剤が１０〜３５０重量部の範囲内の値とされる。
【００１７】
また更に、本発明に従う印刷物の別の好ましい態様の一つによれば、前記オーバーコートインキ層の印刷形成に用いられる前記無色インキが、該オーバーコートインキ層の光沢を調整する光沢調整材を含み、該オーバーコートインキ層の光沢が、前記ベースインキ層と同様な光沢となるように調整される。
【発明の効果】
【００１８】
このように、本発明に従う印刷物にあっては、印刷面が硬貨にて擦られると、硬貨を構成する金属が、ベースインキ層を形成するインキ中に含まれる白色顔料にて削り取られて、この削り取られた金属により、ベースインキ層におけるオーバーコートインキ層の形成部分以外の部分、つまりオーバーコートインキ層にて被覆されずに上面が露呈せしめられたベースインキ層部分の上面が着色（変色）せしめられる。これによって、ベースインキ層上におけるオーバーコートインキ層の形成部分によって所定の画像が構成されている場合には、かかる画像が着色されずに、その周囲のみが着色せしめられて、着色されたベースインキ層の内側に、画像が浮彫にされた状態で現れ、また、ベースインキ層上におけるオーバーコートインキ層の非形成部分によって所定の画像が構成されている場合には、かかる画像が、着色されて、現出せしめられるようになる。その結果、印刷面が硬貨にて擦られることによって、初めて、オーバーコートインキ層にて構成された画像が、確実に視認され得ることとなる。
【００１９】
そして、特に、かかる印刷物においては、所定の画像が、白色顔料を含むベースインキ層上に部分的に形成された無色のオーバーコートインキ層にて構成されていると共に、そのような画像が印刷される被印刷基材として、被印刷面にコーティング処理が行われていない非塗工紙が用いられているところから、ベースインキ層を、網点印刷により印刷形成された多数の網点にて構成する場合と同様に、ベースインキ層の表面が、非塗工紙の凹凸表面形状に対応した、凹凸形状とされるのである。これにより、ベースインキ層に積層されるオーバーコートインキ層の表面やエッジ部分も凹凸形状となり、照射された光が乱反射せしめられるようになる。このため、たとえベースインキ層とオーバーコートインキ層とを構成する材料の反射率が微妙に異なっていたとしても、印刷面が硬貨にて擦られる前に、光の当たり方によって、オーバーコートインキ層にて構成された画像が容易に判別されるようなことが、有利に解消され得るようになっているのである。
【００２０】
また、それに加えて、かかる印刷物においては、ベースインキ層が凹凸形状を有する非塗工紙表面に印刷形成されているため、ベースインキ層の表面も凹凸形状となって、ベースインキ層の表面積が十分に大きくされ、それによって、印刷面が硬貨にて擦られたときに、硬貨を構成する金属が、ベースインキ層の表層部に位置する白色顔料のより多くのものにて、更に確実に且つより多く削り取られるようになる。そして、その結果、ベースインキ層におけるオーバーコートインキ層の非形成部分の上面が、削り取られた金属にて、より十分に着色せしめられ得るのである。
【００２１】
従って、かくの如き本発明に従う印刷物にあっては、印刷面が硬貨にて擦られることにより、所定の画像が、確実に現出せしめられて、より鮮明に視認され得る一方、印刷面が硬貨にて擦られる前においては、かかる画像の視認が更に困難と為され得る。そして、その結果として、画像の隠匿性が効果的に高められ得、以て、例えば各種のくじやゲームカード等に用いられるスクラッチ式の印刷物として、極めて有利に使用され得ることとなるのである。
【００２２】
また、本発明に従う印刷物の好ましい態様の一つに従って、非塗工紙として、上質紙やケント紙が用いられると、印刷された画像がより巧妙に隠匿され得ると共に、印刷面が硬貨にて擦られることにより、そこに印刷形成されたインキ層にて構成される画像が確実に現出せしめられて、より一層鮮明に視認されるようになる。
【００２３】
さらに、本発明に従う印刷物の好ましい態様の別の一つに従って、白色顔料が５重量％以上の割合において、上述せる如きベースインキ層に含められると、印刷面が硬貨にて擦られたときに削り取られる硬貨の金属にて、ベースインキ層におけるオーバーコートインキ層の非形成部分の上面が、より十分に着色され得るようになる。
【００２４】
加えて、本発明に従う印刷物の更に別の好ましい態様の一つに従って、ベースインキ層を形成するインキとして、インキ中におけるベースインキ層形成主要素と溶剤のそれぞれの含有量の割合が、ベースインキ層形成主要素の１００重量部に対して、溶剤が１０〜３５０重量部の範囲内の値とされたものが採用されれば、ベースインキ層中に含まれる白色顔料が、ベースインキ層の表面から部分的に突出せしめられるようになり、それによって、印刷面が硬貨にて擦られたときに、硬貨の金属が、より十分に削り取られるようになる。これにより、ベースインキ層におけるオーバーコートインキ層の非形成部分の上面が、より多くの金属にて、更に一層十分に着色され得て、オーバーコートインキ層にて構成される画像が、より鮮明に認識され得ることとなる。また、ベースインキ層がスクリーン印刷方式を利用して印刷形成される場合にも、かかるベースインキ層の薄肉化が有利に実現され得て、ベースインキ層の表面が、より一層効果的に、非塗工紙の凹凸形状に対応した凹凸形状となるのである。
【００２５】
また、本発明に従う印刷物の望ましい他の態様の一つに従って、オーバーコートインキ層を形成する無色インキとして、無色インキ中におけるオーバーコートインキ層形成主要素と溶剤のそれぞれの含有量の割合が、オーバーコートインキ層形成主要素の１００重量部に対して、溶剤が１０〜３５０重量部の範囲内の値とされたものが採用されれば、オーバーコートインキ層を形成する無色インキの粘性が効果的に低く為され、それによって、オーバーコートインキ層の表面が、ベースインキ層の表面に対応した凹凸形状とされて、オーバーコートインキ層の表面やエッジ部分において光の乱反射が生ぜしめられるようになる。その結果、オーバーコートインキ層にて構成された画像とベースインキ層との光の反射による判別が、一層困難と為され得、以て、画像の隠匿性が、より効果的に高められ得るようになる。また、オーバーコートインキ層がスクリーン印刷方式を利用して印刷形成される場合にも、かかるオーバーコートインキ層が可及的に薄肉化され得て、オーバーコートインキ層、ひいては画像の存在が、効果的に隠匿され得るといった利点もある。
【００２６】
更にまた、本発明に従う印刷物の他の望ましい態様の一つに従って、オーバーコートインキ層を形成する無色インキとして、オーバーコートインキ層の光沢を調整する光沢調整材を含有するものが用いられ、オーバーコートインキ層の光沢が、前記ベースインキ層と同様な光沢となるように調整されれば、オーバーコートインキ層における光の反射率を、極めて効果的に、ベースインキ層における光の反射率と同程度の大きさとすることが出来、それによって、オーバーコートインキ層にて構成された画像とベースインキ層との光の反射による判別が、更に一層困難と為され得て、画像が、より巧妙に隠匿され得るようになる。
【発明を実施するための最良の形態】
【００２７】
以下、本発明を更に具体的に明らかにするために、本発明に係る印刷物の具体的な構成について、図面を参照しつつ、詳細に説明する。
【００２８】
先ず、図１及び図２には、本発明に従う構造を有する印刷物の一実施形態が、その横断面形態と縦断面形態とにおいて、それぞれ概略的に示されている。それらの図からも明らかなように、本実施形態の印刷物は、被印刷シート１０を有し、その上面に、ベースインキ層１２とオーバーコートインキ層１４とが、ベースインキ層１２を下側にして、積層形成されて、構成されている。なお、図２、更には後述する図３、図６のそれぞれにおいては、本実施形態の印刷物の構造の理解を容易とするために、ベースインキ層１２、オーバーコートインキ層１４等が、誇張されて、極端に厚い厚さをもって示されていることが、理解されるべきである。
【００２９】
そして、本実施形態では、被印刷対象である被印刷シート１０として、表面に所定のコーティング処理が施された塗工紙ではなく、表面にコーティング処理が施されていない非塗工紙が、用いられており、そこに大きな特徴を有しているのである。即ち、非塗工紙は、コーティング処理が施されていないところから、パルプ繊維がその表面に露出しており、それ故、表面１１が平滑ではなく凸凹している（図３参照）と共に、塗工紙と比べて基本的に艶が無く、水や溶剤等の液体が染み込み易い紙質となっているのである。このため、後述するように、非塗工紙の被印刷面１６にベースインキ層１２を印刷形成すれば、たとえベタ印刷で印刷形成した場合であっても、網点印刷を実施した場合と同様に、ベースインキ層１２の表面が、凹凸形状となるのであり、また、印刷形成されたベースインキ層１２が剥離してしまうようなことも有利に回避され得るのである。
【００３０】
なお、上記非塗工紙としては、上質紙やケント紙、中質紙、上更紙、更紙等を挙げることができ、これらのうちの少なくとも一種が、用途等に応じて適宜に選択され得るのである。これらの非塗工紙の中でも、上質紙やケント紙にあっては、下級紙よりもパルプ繊維の目が詰まっているところから、ベースインキ層１２をムラなく印刷形成することができ、画像がより一層鮮明に視認されるようになるため、特に好適に採用され得るのである。
【００３１】
そして、このような非塗工紙からなる被印刷シート１０は、その上面が被印刷面１６とされており、この被印刷面１６の中央部における円形領域の全面に対して、ベースインキ層１２が、形成されている。
【００３２】
かかるベースインキ層１２は、ここでは、白色顔料１８を含む印刷インキを用いた、例えば凸版印刷、凹版印刷、オフセット印刷、及びスクリーン印刷等の公知の印刷方式の何れかによって、印刷形成されているのである。また、ベースインキ層１２の内部には、図３に示されるように、粒状の白色顔料１８が、多数分散せしめられている。
【００３３】
そして、図３に矢印で示されるように、ベースインキ層１２の表面に照射された光が、その表面において乱反射せしめられて、ベースインキ層１２の表面において発せられる光沢が低く抑えられ、以て、ベースインキ層１２の全体が、艶のない白色を呈するようになっている。
【００３４】
また、ここでは、特に、かかるベースインキ層１２中に分散せしめられる白色顔料１８としては、硬貨に使用される金属、例えば銅や、鉄、アルミニウム、亜鉛、鉛等よりも高い硬度を有する、酸化チタンや硫酸バリウム、炭酸カルシウムが、それぞれ単独で、若しくはそれらのうちの２種類以上が組み合わされて、使用されている。
【００３５】
これによって、ベースインキ層１２の表面が硬貨にて擦られると、硬貨を構成する金属がベースインキ層１２の表層部に存在する白色顔料１８にて削り取られるようになり、そして、この削り取られた金属にて、ベースインキ層１２の表面のうちの硬貨にて擦られた部分が、白色から、例えば黒色乃至は黒ずんだ灰色等に変色せしめられるようになっているのである。
【００３６】
しかも、上述せる如く、ここでは、ベースインキ層１２が、表面が凸凹した非塗工紙（被印刷シート１０）上に形成されていることで、より十分に大きな表面積を有するようにされている。それ故、ベースインキ層１２の表面が硬貨にて擦られたときに、硬貨が、ベースインキ層１２の表層部に位置する、より多くの白色顔料１８に接触せしめられて、かかる硬貨の金属が、より確実に且つ十分に多く削り取られ、以て、ベースインキ層１２の表面が、より濃い色に変色せしめられるように構成されている。
【００３７】
一方、ベースインキ層１２の上に積層形成されたオーバーコートインキ層１４は、無色の印刷インキを用いた、例えば凸版印刷、凹版印刷、オフセット印刷、及びスクリーン印刷等の公知の印刷方式の何れかによって印刷形成されて、無色透明とされている。このオーバーコートインキ層１４にあっても、表面が凹凸形状とされたベースインキ層１２上に形成されていることで、表面が凹凸形状となっており、しかも、ここでは、そのようなオーバーコートインキ層１４中に、それを形成する無色インキに含有せしめられた公知のマット材等の粒状の光沢調整材２０が、分散せしめられている。
【００３８】
これにより、無色透明のオーバーコートインキ層１４の表面に照射された光が、その表面の凹凸形状や、オーバーコートインキ層１４中の光沢調整材２０によっても乱反射せしめられるようになっている。そして、ここでは、そのようなオーバーコートインキ層１４中に分散せしめられる光沢調整材２０の量が適宜に調節される等して、無色透明のオーバーコートインキ層１４の光沢が、ベースインキ層１２の光沢と同程度にまで低く抑えられるように調整されている。
【００３９】
また、このオーバーコートインキ層１４は、図１及び図２から明らかな如く、ベースインキ層１２の上面の中心部に積層された円形形状を呈する中心側オーバーコートインキ層部分１４ａと、ベースインキ層１２の上面の外周部に積層された広幅のリング形状を呈する外周側オーバーコートインキ層部分１４ｂとからなっている。そして、かかるリング状の外周側オーバーコートインキ層部分１４ｂの内径が、円形の中心側オーバーコートインキ層部分１４ａの外径よりも所定寸法だけ大きくされており、それによって、ベースインキ層１２上における中心部と外周部との間に、オーバーコートインキ層非形成部分２２が、円形の凹溝形態をもって、設けられている。
【００４０】
換言すれば、ここでは、ベースインキ層１２の上面の中心部と外周部とに対して、それらの部位を被覆するように、オーバーコートインキ層１４が部分的に印刷形成されている一方、ベースインキ層１２上の中心部と外周部との間に、オーバーコートインキ層１４によって被覆されることなく、ベースインキ層１２の表面が剥き出し状態とされた、オーバーコートインキ層非形成部分２２が存在せしめられている。そして、そのようなベースインキ層１２上において、その表面が露呈せしめられた、オーバーコートインキ層非形成部分２２によって、円形凹溝形態に対応した図柄であるところの○を描く画像２４が、構成されているのである。
【００４１】
かくして、本実施形態においては、被印刷シート１０の被印刷面１６の全体が、硬貨にて擦られると、図４に示されるように、ベースインキ層１２上における中心側オーバーコートインキ層部分１４ａの形成部分と外周側オーバーコートインキ層部分１４ｂの形成部分では、それら中心側及び外周側オーバーコートインキ層部分１４ａ，１４ｂのそれぞれの表面上を硬貨が滑って、硬貨を構成する金属が削り取られることがなく、従って、何等変色せしめられないようになっている。一方、ベースインキ層１２上におけるオーバーコートインキ層非形成部分２２では、硬貨の金属が、表面が露呈せしめられたベースインキ層１２中の白色顔料１８にて削り取られて、この削り取られた金属により、オーバーコートインキ層非形成部分２２において露呈せしめられたベースインキ層１２の表面部分が白色から黒色乃至は黒ずんだ灰色に変色せしめられるようになっている。そして、それによって、被印刷シート１０の被印刷面１６上に、○を描く画像２４が現出せしめられるようになっているのである。
【００４２】
また、ここでは、かかる画像２４を構成するオーバーコートインキ層１４が無色透明とされていることによって、この無色透明のオーバーコートインキ層１４と白色のベースインキ層１２との間で色合いに違いが生ずるようなことが有利に解消されている。そして、それに加えて、前述せるように、ベースインキ層１２の表面において光の乱反射が生ぜしめられるようになっており、更には、オーバーコートインキ層１４中に分散せしめられた光沢調整材２０によって、オーバーコートインキ層１４の表面の光沢が、ベースインキ層１２の表面の光沢と同程度とされている。そのため、印刷された面が硬貨にて擦られる前には、オーバーコートインキ層非形成部分２２からなる○を描く画像２４と、中心側オーバーコートインキ層部分１４ａや外周側オーバーコートインキ層部分１４ｂとを、色合いの違いや光の反射等によって区別することが困難とされて、かかる画像２４が、巧みに隠匿され得るようになっているのである。
【００４３】
ところで、かかるベースインキ層１２を被印刷シート１０の被印刷面１６上に形成するのに用いられる印刷インキは、白色顔料１８を含むものであれば、その組成が何等限定されるものではない。然るに、ここでは、被印刷シート１０の被印刷面１６上で固化せしめられることにより、ベースインキ層１２を被印刷面１６上に形成すると共に、白色顔料１８を、かかるベースインキ層１２の内部に埋設せしめて、被印刷面１６上に固着する、例えばインキ用樹脂やワックス等のベースインキ層形成主要素と、それを溶解する溶剤とを含み、且つそれらベースインキ層形成主要素と溶剤とが、前者の１００重量部に対して、後者が１０〜３５０重量部となる範囲内の量において含有せしめられたインキが、ベースインキ層１２を形成する印刷インキとして、好適に用いられる。
【００４４】
このような組成の印刷インキにおいては、粘性が効果的に低減せしめられ得る。そのため、かかるインキを用いてベースインキ層１２を印刷形成すると、図３に示されるように、ベースインキ層１２の表層部に位置せしめられた白色顔料１８が、ベースインキ層１２の表面から部分的に突出せしめられるようになる。これにより、印刷面を硬貨で擦ったときに、硬貨の金属が、白色顔料１８にて、更に確実に且つより十分な量において削り取られて、オーバーコートインキ層非形成部分２２において露呈せしめられたベースインキ層１２部分が、削り取られた金属にて、より十分に変色せしめられ、以て、○を描く画像２４が、更に一層鮮明に現出せしめられることとなる。また、ベースインキ層１２の形成用の印刷インキが上記の如き組成とされて、その粘性が低くされることによって、例えば、形成されるインキ層が比較的に厚肉となるスクリーン印刷方式により、ベースインキ層１２を形成する場合にあっても、ベースインキ層１２の薄肉化が可能となって、ベースインキ層１２の表面が、より一層効果的に、非塗工紙の凹凸形状に対応した凹凸形状となるのである。
【００４５】
なお、ベースインキ層１２を形成するのに用いられる印刷インキ中におけるベースインキ層形成主要素と溶剤のそれぞれの含有量の割合が、ベースインキ層形成主要素の１００重量部に対して、溶剤が１０重量部未満とされている場合には、溶剤の含有量が少な過ぎるため、インキの粘性を十分に低下させて、ベースインキ層１２の中の白色顔料１８を、ベースインキ層１２の表面から部分的に突出させることや、ベースインキ層１２を薄肉化することが困難となり、それ故に、溶剤の含有量の増大に伴うインキの粘性低下によって得られる上記の如き優れた特徴が十分に得られなくなる恐れがある。また、かかるインキ中におけるベースインキ層形成主要素と溶剤のそれぞれの含有量の割合が、ベースインキ層形成主要素の１００重量部に対して、溶剤が３５０重量部を超える場合には、インキ中におけるベースインキ層形成主要素の含有量が過少となって、被印刷シート１０の被印刷面１６上への白色顔料１８の固着強度が低下せしめられる。そのため、被印刷シート１０の被印刷面１６を硬貨で擦ったときに、白色顔料１８がベースインキ層１２中から離脱せしめられるようになり、その結果、○を描く画像２４を鮮明に現出させることが困難となる場合が生ずる。
【００４６】
また、そのようなベースインキ層１２の形成用に用いられるインキ中に含まれる白色顔料１８の量も、特に限定されるものではないものの、かかるインキから溶剤が消失せしめられた状態で、被印刷シート１０上に形成されるベースインキ層１２中に、５重量％以上の割合となる量において含有せしめられていることが、望ましい。何故なら、かかるベースインキ層１２中における白色顔料１８の含有量が、５重量％未満の割合となる少ない量であると、被印刷シート１０の被印刷面１６を硬貨で擦ったときに、ベースインキ層１２における白色顔料１８にて削り取られる硬貨の金属量も少なくなり、それによって、オーバーコートインキ層非形成部分２２において露呈せしめられたベースインキ層１２部分の、削り取られた金属による変色が不十分となって、現出せしめられる画像２４が不鮮明となってしまうといった問題が生ずる可能性があるからである。
【００４７】
なお、このベースインキ層１２中における白色顔料１８の含有量が増大すると、前記せるインキ用樹脂やワックス等のベースインキ層形成主要素による被印刷シート１０の被印刷面１６への白色顔料１８の固着力が低下せしめられる傾向が認められる。それ故、かかるインキ中における白色顔料１８の含有量の上限は、被印刷シート１０の被印刷面１６への白色顔料１８の固着力の大きさに基づいて、適宜に決定されることとなる。
【００４８】
また、白色顔料１８の一つ一つの大きさが余りに大きい場合にあっても、ベースインキ層形成主要素による被印刷シート１０の被印刷面１６への白色顔料１８の固着力が低下せしめられることとなる。一方、白色顔料１８が小さ過ぎると、被印刷シート１０の被印刷面１６を硬貨で擦ったときに、白色顔料１８にて削り取られる硬貨の金属量も少なくなって、オーバーコートインキ層非形成部分２２において露呈せしめられたベースインキ層１２部分の変色が不十分となり、それによって、現出せしめられる画像２４が不鮮明となってしまう。従って、それらの問題を回避する上において、白色顔料１８は、その平均粒径（遠心沈降法にて測定した平均粒子径、以下同じ）が０．１９〜０．９μｍの範囲内の値とされていることが、望ましい。
【００４９】
さらに、ベースインキ層１２は、その存在が容易に視認されないように為す上において、その厚さが、可及的に薄くされていることが望ましいが、余りに薄いと、被印刷シート１０の被印刷面１６への白色顔料１８の固着力が低下せしめられる。その故、ベースインキ層１２の厚さは、白色顔料１８の望ましい平均粒径を考慮した上で、０．２〜１．５μｍ程度の範囲内の値とされていることが、好ましいのである。
【００５０】
一方、オーバーコートインキ層１４をベースインキ層１２上に形成するのに用いられる印刷インキも、無色の印刷インキであれば、その組成が何等限定されるものではない。然るに、ここでは、ベースインキ層１２上で固化せしめられることにより、オーバーコートインキ層１４をベースインキ層１２上に形成する、例えばインキ用樹脂やワックス等のオーバーコートインキ層形成主要素と、それを溶解する溶剤とを含み、且つそれらオーバーコートインキ層形成主要素と溶剤とが、前者の１００重量部に対して、後者が１０〜３５０重量部となる範囲内の量において含有せしめられたインキが、オーバーコートインキ層１４を形成する印刷インキとして、好適に用いられる。
【００５１】
このような組成の印刷インキにおいては、粘性が効果的に低減せしめられ得る。そのため、かかるインキを用いてオーバーコートインキ層１４を印刷形成すると、図３に示されるように、オーバーコートインキ層１４の表面が、極めて効果的に、オーバーコートインキ層１４の下側に設けられるベースインキ層１２の表面の形状に対応した凹凸形状とされ、それによって、オーバーコートインキ層１４の表面に照射された光が、かかる表面やエッジ部分において乱反射せしめられるようになる。その結果、オーバーコートインキ層１４と、オーバーコートインキ層非形成部分２２において露呈せしめられたベースインキ層１２部分とを、それぞれの表面における光の反射によって区別することが、より困難となると共に、中心側オーバーコートインキ層部分１４ａと外周側オーバーコートインキ層部分１４ｂのそれぞれのエッジ部分が目立たなくされ、以て、印刷面が硬貨にて擦られる前において、オーバーコートインキ層非形成部分２２からなる○を描く画像２４が、より巧妙に隠匿され得ることとなる。
【００５２】
しかも、オーバーコートインキ層１４の形成用の印刷インキが上記の如き組成とされて、その粘性が低くされることによって、例えば、スクリーン印刷方式にてオーバーコートインキ層１４を印刷形成する場合にあっても、中心側オーバーコートインキ層部分１４ａと外周側オーバーコートインキ層部分１４ｂのそれぞれを薄肉化することが出来る。その結果、それらのオーバーコートインキ層部分１４ａ，１４ｂ、ひいては画像２４が目立たなく為され得る。
【００５３】
なお、オーバーコートインキ層１４の形成に用いられる印刷インキ中におけるオーバーコートインキ層形成主要素と溶剤のそれぞれの含有量の割合が、オーバーコートインキ層形成主要素の１００重量部に対して、溶剤が１０重量部未満とされている場合には、溶剤の含有量が少な過ぎて、インキの粘性を十分に低下させることが出来ないため、インキの粘性低下によって得られる上述の如き優れた作用・効果を有効に享受することが困難となる。また、かかるインキ中におけるオーバーコートインキ層形成主要素と溶剤のそれぞれの含有量の割合が、オーバーコートインキ層形成主要素の１００重量部に対して、溶剤が３５０重量部を超える場合には、オーバーコートインキ層形成主要素の含有量が過少となるため、オーバーコートインキ層１４中に分散せしめられる光沢調整材２０の保持力が低下せしめられる。そのため、被印刷シート１０の被印刷面１６を硬貨で擦ったときに、光沢調整材２０がオーバーコートインキ層１４中から容易に離脱せしめられるようになるといった不具合が生ずる恐れがある。
【００５４】
また、そのようなオーバーコートインキ層１４を形成するインキ中に含まれる光沢調整材２０の平均粒径は、２．０〜５．５μｍの範囲内の値とされていることが望ましい。何故なら、光沢調整材２０の平均粒径が５．５μｍよりも大きい場合には、オーバーコートインキ層形成主要素によるオーバーコートインキ層１４中での保持力が低下せしめられることとなるからであり、また、かかる平均粒径が２．０μｍよりも小さい光沢調整材２０は、現状において入手が容易ではなく、準備するのが困難であるからである。なお、オーバーコートインキ層１４中における光沢調整材２０の含有量は、オーバーコートインキ層１４の光沢が、ベースインキ層１２と同様な光沢となるような量において、適宜に決定されるところである。
【００５５】
さらに、上記の記載からも明らかなように、オーバーコートインキ層１４は、その存在が容易に視認されないように為す上において、その厚さが、可及的に薄くされていることが望ましい。しかしながら、余りに薄いと、光沢調整材２０が含有されている場合において、オーバーコートインキ層１４中での光沢調整材２０の保持力が低下せしめられる。そのため、オーバーコートインキ層１４の厚さは、光沢調整材２０の望ましい平均粒径を考慮した上で、２．０〜６．０μｍ程度の範囲内の値とされていることが、好ましいのである。
【００５６】
このように、本実施形態の印刷物にあっては、被印刷シート１０として、非塗工紙が用いられ、その被印刷面１６上に、内部に白色顔料１８が分散せしめられたベースインキ層１２が印刷形成されると共に、かかるベースインキ層１２の上に、無色のオーバーコートインキ層１４が部分的に印刷形成されて、このベースインキ層１２上におけるオーバーコートインキ層１４の非形成部分２２にて、○を描く画像２４が構成されているところから、被印刷シート１０の被印刷面１６が硬貨にて擦られることにより、○を描く画像２４が、確実に現出せしめられて、より鮮明に視認され得る一方、被印刷シート１０の被印刷面１６が硬貨にて擦られる前においては、かかる画像２４の視認が、より困難と為され得る。従って、例えば各種のくじやゲームカード等に用いられるスクラッチ式の印刷物として、極めて有利に使用され得ることとなるのである。
【００５７】
そして、かかる印刷物においては、ベースインキ層１２やオーバーコートインキ層１４の形成にそれぞれ用いられる各印刷インキの組成等が最適化されることによって、上述の如き優れた作用・効果が、更に一層高いレベルで有効に享受され得ることとなる。
【００５８】
ところで、前記実施形態では、被印刷シート１０の被印刷面１６上において、ベースインキ層１２の表面が露呈せしめられた、オーバーコートインキ層非形成部分２２によって、○を描く画像２４が構成されていたが、例えば、図５及び図６に示されるように、被印刷シート１０の被印刷面１６上において、ベースインキ層１２の表面がオーバーコートインキ層１４にて被覆された、オーバーコートインキ層１４の形成部分によって、○を描く画像２４を構成することも出来る。なお、かかる図５及び図６、更には後述する図７においては、前記実施形態と同様な構成とされた部材及び部位について、図１乃至図４と同一の符号を付すことにより、その詳細な説明は省略した。
【００５９】
すなわち、ここでは、非塗工紙からなる被印刷シート１０の被印刷面１６の中心部における円形領域の全面に、白色顔料１８が内部に分散せしめられた白色のベースインキ層１２が印刷形成されている。また、このベースインキ層１２における中心部と外周部との間の内周部分には、無色透明のオーバーコートインキ層１４が、かかるベースインキ層１２の内周部分をリング状に被覆するように、部分的に印刷形成されている。そして、ベースインキ層１２の中心部と外周部とには、オーバーコートインキ層１４によって被覆されることなく、ベースインキ層１２の表面が剥き出し状態とされた、円形の中心側オーバーコートインキ層非形成部分２６と広幅のリング形状を呈する外周側オーバーコートインキ層非形成部分２８とが、それぞれ存在せしめられている。これにより、被印刷シート１０の被印刷面１６上に、ベースインキ層１２の表面を被覆するオーバーコートインキ層１４の形成部分にて、かかるオーバーコートインキ層１４のリング形状に対応した図柄であるところの○を描く画像２４が、構成されているのである。
【００６０】
かくして、本実施形態においては、印刷面の全体が硬貨にて擦られると、図７に示されるように、ベースインキ層１２上におけるオーバーコートインキ層１４の形成部分では、その表面上を硬貨が滑って、何等変色せしめられないようになっている。一方、ベースインキ層１２上における中心側オーバーコートインキ層非形成部分２６と外周側オーバーコートインキ層非形成部分２８では、硬貨の金属が、表面が露呈せしめられたベースインキ層１２中の白色顔料１８にて削り取られて、この削り取られた金属により、中心側及び外周側オーバーコートインキ層非形成部分２６，２８において露呈せしめられたベースインキ層１２の表面部分が白色から黒色乃至は黒ずんだ灰色に変色せしめられるようになっている。そして、それによって、被印刷シート１０の被印刷面１６上に、○を描く画像２４が、変色せしめられたベースインキ層１２の内側に、何等変色せしめられることなしに浮彫にされた状態で、現出せしめられるようになっているのである。
【００６１】
このような本実施形態にあっても、被印刷シート１０として、非塗工紙が用いられ、その被印刷面１６上に、内部に白色顔料１８が分散せしめられたベースインキ層１２が印刷形成されると共に、このベースインキ層１２上に、無色透明のオーバーコートインキ層１４が部分的に印刷形成されて、ベースインキ層１２におけるオーバーコートインキ層１４の形成部分により、○を描く画像２４が構成されているところから、前記実施形態と同様な作用・効果が有効に享受され得ることとなる。
【００６２】
ところで、前記実施形態では、オーバーコートインキ層１４中に光沢調整材２０が分散せしめられて、オーバーコートインキ層１４とベースインキ層１２のそれぞれの光沢が同程度となるように調整されていたが、この光沢調整材２０は、本発明において必須のものではない。
【００６３】
さらに、前記実施形態では、画像２４が、○を描く図柄にて構成されていたが、この画像２４には、○以外の図柄や図形の他、文字や数字、模様、絵等、様々なものが、採用され得る。
【００６４】
更にまた、かかる画像２４の個数や形成位置等も、前記実施形態に示されるものに、何等限定されるものでないことは、勿論である。
【００６５】
また、前記実施形態では、ベースインキ層１２の色が、それに含まれる白色顔料１８によって白色とされていたが、ベースインキ層１２を形成する印刷インキに対して、かかる白色顔料１８に加えて、各種の色の顔料を添加することで、ベースインキ層１２を白色以外の色と為すことも出来る。
【００６６】
その他、本発明は、各種の形態において実施され得るものであって、当業者の知識に基づいて採用される本発明についての種々なる変更、修正、改良に係る各種の実施の形態が、何れも、本発明の趣旨を逸脱しない限りにおいて、本発明の範疇に属するものであることが、理解されるべきである。
【実施例】
【００６７】
以下に、本発明の代表的な実施例の幾つかを示し、本発明の特徴を更に明確にすることとするが、本発明が、そのような実施例の記載によって、何等の制約をも受けるものでないことは、言うまでもないところである。
【００６８】
先ず、被印刷シートとして、次の非塗工紙と塗工紙を準備した。非塗工紙としては、ケント紙［商品名：コニーケント（リンテック株式会社製）］、上質紙［商品名：ニューＮＰｉ（日本製紙株式会社製）］、色上質紙［商品名：紀州の色上質（紀州製紙株式会社製）］を準備する一方、塗工紙としては、コート紙［商品名：エスプリコート（日本製紙株式会社製）］、アート紙［商品名：特菱アート（三菱製紙株式会社製）］を、それぞれ、準備した。
【００６９】
また、その一方で、ポリエステル系樹脂からなるインキ用樹脂と公知の溶剤とが、重量基準で、インキ用樹脂：溶剤＝１０：７の配合割合で配合され、混合されてなる無色インキを調製して、所定量準備した。更に、白色顔料として酸化チタンが３０重量％の割合となる量で含有せしめられた白色インキ［商品名：Ｕ−Ｐｅｔ４５０白（株式会社ミノグループ製）］の所定量を準備した。そして、かくして準備された無色インキと白色インキとを用い、それらを重量基準で、無色インキ：白色インキ＝１０：３の配合割合で配合し、混合した。これによって、最終組成が、重量基準で、酸化チタン：インキ用樹脂：溶剤＝３：１５．３：４８．３とされた印刷インキの所定量を調製し、これを、ベースインキ層形成用の印刷インキとした。このようにして、ベースインキ層形成主要素たるインキ用樹脂と溶剤のそれぞれの含有量の割合が、インキ用樹脂の１００重量部に対して、溶剤が３１６重量部とされ、且つ後述する操作にて、被印刷シートに印刷形成されるベースインキ層中に、酸化チタンが１６．４重量％の割合で含むようにされたベースインキ層形成用インキを準備した。なお、かかるベースインキ層形成用インキ中に含まれる酸化チタン（白色顔料）の平均粒径は、０．３５μｍであった。
【００７０】
また、それとは別に、ポリエステル系樹脂からなるインキ用樹脂と光沢調整材としてのシリカゲルマット剤とが混合せしめられてなる無色インキ［商品名：Ｕ−Ｐｅｔ９３１マットメジウム（株式会社ミノグループ製）］の所定量を準備した。そして、この無色インキと公知の溶剤とを、重量基準で、無色インキ：溶剤＝１０：７の配合割合で配合し、混合した。これによって、最終組成が、重量基準で、シリカゲルマット剤：インキ用樹脂：溶剤＝１：１０．２５：３１．２５とされた印刷インキの所定量を調製し、これを、オーバーコートインキ層形成用の印刷インキとした。かくして、オーバーコートインキ層形成主要素たるインキ用樹脂と溶剤のそれぞれの含有量の割合が、インキ用樹脂の１００重量部に対して、溶剤が３０５重量部とされたオーバーコートインキ層形成用インキを準備した。なお、かかるオーバーコートインキ層形成用インキ中に含まれるシリカゲルマット剤（光沢調整材）の平均粒径は、３．９μｍであった。
【００７１】
そして、先に準備された被印刷シートと、上記のように調製されて、準備されたベースインキ層形成用インキと、３００メッシュのスクリーンとを用いて、被印刷シートの表面における所定大きさの円形領域に、ベースインキ層形成用インキを、公知のスクリーン印刷手法によりベタ印刷し、これを乾燥固化せしめた。これによって、各被印刷シートの表面に、ベースインキ層を、それぞれ印刷形成した。
【００７２】
引き続き、ベースインキ層が印刷形成された被印刷シートと、先に準備されたオーバーコートインキ層形成用インキと、３００メッシュのスクリーンとを用い、各被印刷シートにおけるベースインキ層上の中心部の円形領域と外周部のリング状領域とに対して、オーバーコートインキ層形成用インキを、公知のスクリーン印刷手法によりそれぞれベタ印刷し、これを乾燥固化せしめた。これによって、各被印刷シートの表面におけるベースインキ層の上に、図１及び図２に示される如き円形の中心側オーバーコートインキ層部分とリング状の外周側オーバーコートインキ層部分とをそれぞれ印刷形成すると共に、リング状のオーバーコートインキ層非形成部分を設け、以て、かかるオーバーコートインキ層非形成部分にて、○を描く画像を形成した。
【００７３】
このようにして、各種の被印刷シートの表面に、ベースインキ層とオーバーコートインキ層とが表面に積層形成されると共に、かかるベースインキ層上に、オーバーコートインキ層の非形成部分からなる○を描く画像が設けられた印刷物を作製した。
【００７４】
そして、その後、この作製された印刷物のそれぞれについて、表面を硬貨で擦る前に目視して、画像が容易に認識され得るか否かを調べ、隠匿性を評価した。また、その後、各印刷物の表面を硬貨で擦って画像を現出せしめ、そのときの画像が鮮明であるか否かを目視にて調べ、鮮明さを評価した。それらの結果を下記表１に示した。なお、かかる表１では、印刷物の表面を硬貨で擦る前の目視による画像の認識調査について、画像が容易に認識され得たものについては×、画像が認識が困難ではあるものの、それが可能であったものについては△、画像の認識が不能であったものについては○として、隠匿性の評価結果を示した。また、印刷物の表面を硬貨で擦った後の画像の鮮明さに関する調査について、画像が鮮明で、極めて明確に確認され得たものをＡ、画像が、容易に確認され得るものの、やや不鮮明であったものをＢ、画像が不鮮明で、容易には確認され得なかったものをＣとして、鮮明さの評価結果を示した。
【００７５】
【表１】
2008142951.tif 000003
【００７６】
かかる表１の結果から明らかなように、非塗工紙を用いて作製された印刷物にあっては、表面を硬貨で擦る前に、画像を視認することが不可能であり、且つ表面を硬貨で擦った後に、画像が明確に又は容易に確認され得ることが、認められる。このことから、非塗工紙を用いて作製された印刷物が、表面が硬貨にて擦られる前における画像の隠匿性に優れ、しかも、表面が硬貨にて擦られた後には、画像が鮮明に現出せしめられ得るものであるがことが、明確に認識され得るのである。
【００７７】
これに対し、塗工紙を用いて作製された印刷物にあっては、表面を硬貨で擦る前に、画像を容易に視認することが可能であり、表面が硬貨にて擦られる前における画像の隠匿性に劣っていると共に、表面を硬貨で擦った後の画像もやや不鮮明であることがわかる。
【図面の簡単な説明】
【００７８】
【図１】本発明に従う印刷物の一実施形態を示す横断面説明図であって、図２におけるＩ−Ｉ断面に相当する図である。
【図２】図１におけるII−II断面説明図である。
【図３】図２における部分拡大説明図である。
【図４】図１に示された印刷物の使用状態を説明するための図であって、印刷物の表面を硬貨で擦って、画像を現出せしめた状態を示している。
【図５】本発明に従う印刷物の別の実施形態を示す図１に対応する図であって、図６におけるＶ−Ｖ断面に相当する図である。
【図６】図５におけるVI−VI断面説明図である。
【図７】図５に示された印刷物の使用状態を説明するための図であって、印刷物の表面を硬貨で擦って、画像を現出せしめた状態を示している。
【符号の説明】
【００７９】
１０  被印刷シート                    １２  ベースインキ層
１４  オーバーコートインキ層          １６  被印刷面
１８  白色顔料                        ２０  光沢調整材
２２  オーバーコートインキ層非形成部分
２４  画像
２６  中心側オーバーコートインキ層非形成部分
２８  外周側オーバーコートインキ層非形成部分
【図１】
2008142951.tif 000004
【図２】
2008142951.tif 000005
【図３】
2008142951.tif 000006
【図４】
2008142951.tif 000007
【図５】
2008142951.tif 000008
【図６】
2008142951.tif 000009
【図７】
2008142951.tif 000010